(57)【要約】【課題】互いに異なる機能を持たせた部材の成形手間を省くことができる電動工具用収容ケースを提供する。【解決手段】電動工具を収納可能な収納部４を有する本体ケース２と、本体ケースにヒンジ結合されて収納部を開閉可能な蓋体３と、を備える電動工具用収容ケース１であって、蓋体の内面に、本体ケースと蓋体との合わせ面をシールする第１のシール部材を軟質材料で形成し、蓋体の外面に、軟質材料で第１衝撃吸収部材２５Ａ〜２５Ｄを形成して、第１のシール部材と第１衝撃吸収部材とを連続させて一体成形した。【選択図】図２
2013039646.tif 000002
【特許請求の範囲】
【請求項１】
電動工具を収納可能な収納部を有する本体ケースと、前記本体ケースにヒンジ結合されて前記収納部を開閉可能な蓋体と、を備える電動工具用収容ケースであって、
前記蓋体の内面に、前記本体ケースと前記蓋体との合わせ面をシールする第１のシール部材を軟質材料で形成し、前記蓋体の外面に、前記軟質材料で第１の軟質成形部を形成して、
前記第１のシール部材と前記第１の軟質成形部とを連続させて一体成形したことを特徴とする電動工具用収容ケース。
【請求項２】
前記蓋体の前記外面の少なくとも隅角部に、前記第１の軟質成形部を形成したことを特徴とする請求項１に記載の電動工具用収容ケース。
【請求項３】
前記第１の軟質成形部をロゴマーク部としたことを特徴とする請求項１に記載の電動工具用収容ケース。
【請求項４】
前記蓋体の外面に形成された副収容部と、前記蓋体にヒンジ結合されて前記副収容部を開閉可能な外蓋と、を備え、
前記外蓋に、前記蓋体と前記外蓋との合わせ面をシールする第２のシール部材を前記軟質材料で形成し、前記外蓋の外面に、前記軟質材料で第２の軟質成形部を形成して、
前記第２のシール部材と前記第２の軟質成形部とを連続させて一体成形したことを特徴とする請求項１ないし３のいずれかに記載の電動工具用収容ケース。
【請求項５】
前記第２の軟質成形部をロゴマーク部としたことを特徴とする請求項４に記載の電動工具用収容ケース。
【発明の詳細な説明】
【技術分野】
【０００１】
この発明は、インパクトドライバ等の電動工具を収容するための電動工具用収容ケースに関する。
【背景技術】
【０００２】
例えば特許文献１には、電動工具を収容可能で合成樹脂製の本体ケースに、本体ケースの開口部を開閉可能な合成樹脂製の蓋体を設けて、本体ケースにスピーカやアンプ等の音声装置を組み込んだ電動工具用収容ケースが開示されている。特許文献１の電動工具用収容ケースでは、本体ケースの内面から突出する２重の仕切り壁と、この仕切り壁に対応して蓋体の内面から突出する２重の仕切り壁とによって、本体ケース内が複数の収容部に区画されている。
【０００３】
さらに、本体ケースの前側壁部に取り付けた一対のスピーカをそれぞれ別個のスピーカ収容室に配置して、一方のスピーカ収容室を、本体ケース内で後方に位置する工具収容部に連通させることで一方の音道空間を形成し、他方のスピーカ収容室をその後方に位置する充電器収容部に連通させることで他方の音道空間を形成している。その上で、両音道空間を完全に分離させて高音質の音をスピーカで再生するために、本体ケース側の２重の仕切り壁の上面を帯状ゴムパッキンで蓋をして、蓋体が本体ケースの開口部を閉鎖したときに、帯状ゴムパッキンを蓋体側の２重の仕切り壁で押圧することがなされていた。
【先行技術文献】
【特許文献】
【０００４】
【特許文献１】特開２００６−２０５３２３号公報
【発明の概要】
【発明が解決しようとする課題】
【０００５】
ところで、上記のような本体ケースと蓋体とを備えた電動工具用収容ケースでは、本体ケースと蓋体とが密着する構造ではないことから、本体ケースと蓋体との合わせ面から電動工具用収容ケースの内部に誤って雨水等が浸入することを防止できなかった。そこで近年は電動工具用収容ケースに防水機能を持たせたいとの要請がある。
【０００６】
さらに、例えば蓋体を床面に接した状態で電動工具用収容バッグを床面に置くときに、床面から蓋体に衝撃が加わることを防止したいとの要請もある。このような場合に、合わせ面に対して防水機能を持たせた部材を成形し、これとは別工程で蓋体に対して衝撃緩和機能を持たせた部材を成形すると、成形に手間がかかることが懸念される。
【０００７】
この発明は、このような状況に鑑み提案されたものであって、互いに異なる機能を持たせた部材の成形手間を省くことができる電動工具用収容ケースを提供することを目的とする。
【課題を解決するための手段】
【０００８】
請求項１の発明に係る電動工具用収容ケースは、電動工具を収納可能な収納部を有する本体ケースと、前記本体ケースにヒンジ結合されて前記収納部を開閉可能な蓋体と、を備える電動工具用収容ケースであって、前記蓋体の内面に、前記本体ケースと前記蓋体との合わせ面をシールする第１のシール部材を軟質材料で形成し、前記蓋体の外面に、前記軟質材料で第１の軟質成形部を形成して、前記第１のシール部材と前記第１の軟質成形部とを連続させて一体成形したことを特徴とする。
【０００９】
請求項２の発明は、請求項１において、前記蓋体の前記外面の少なくとも隅角部に、前記第１の軟質成形部を形成したことを特徴とする。
【００１０】
請求項３の発明は、請求項１において、前記第１の軟質成形部をロゴマーク部としたことを特徴とする。
【００１１】
請求項４の発明は、請求項１ないし３のいずれかにおいて、前記蓋体の外面に形成された副収容部と、前記蓋体にヒンジ結合されて前記副収容部を開閉可能な外蓋と、を備え、前記外蓋に、前記蓋体と前記外蓋との合わせ面をシールする第２のシール部材を前記軟質材料で形成し、前記外蓋の外面に、前記軟質材料で第２の軟質成形部を形成して、前記第２のシール部材と前記第２の軟質成形部とを連続させて一体成形したことを特徴とする。
【００１２】
請求項５の発明は、請求項４において、前記第２の軟質成形部をロゴマーク部としたことを特徴とする。
【発明の効果】
【００１３】
請求項１の発明に係る電動工具用収容ケースによれば、蓋体の外面に設けられる保護用の第１の軟質成形部と、蓋体の内面に設けられるシール用の第１のシール部材とを一体成形することが可能になる。したがって、互いに異なる機能を持たせた第１のシール部材と第１の軟質成形部とを一度に成形できるため、成形手間を省くことができる。
請求項２の発明によれば、例えば蓋体を床面に接した状態で電動工具用収容ケースを床面に置くときに、第１の軟質成形部で、床面から蓋体に加わろうとする衝撃を吸収できる。よって、第１の軟質成形部に外部から蓋体が受ける衝撃を緩和する機能を持たせることができる。
請求項３の発明によれば、第１の軟質成形部が、例えば会社名や商品名を表したロゴマークを形成することで、第１の軟質成形部に会社名や商品名を認識させる機能を持たせることができる。
請求項４の発明によれば、外蓋の外面に設けられる保護用の第２の軟質成形部と、外蓋に設けられるシール用の第２のシール部材とを一体成形することが可能になる。したがって、互いに異なる機能を持たせた第２のシール部材と第２の軟質成形部とを一度に成形できるため、成形手間を省くことができる。
請求項５の発明によれば、第２の軟質成形部が、例えば会社名や商品名を表したロゴマークを形成することで、第２の軟質成形部に会社名や商品名を認識させる機能を持たせることができる。
【図面の簡単な説明】
【００１４】
【図１】本発明の実施形態の電動工具用収容ケースの平面図である。
【図２】同電動工具用収容ケースを構成する本体ケースと、蓋体と、外蓋との分解斜視図である。
【図３】図１のＡ−Ａ線断面図を含む同電動工具用収容ケースの後面図である。
【図４】図３のＣ部分の拡大断面図である。
【図５】図１のＢ−Ｂ線断面図である。
【図６】同外蓋の内面側の構成を説明する図である。
【図７】第２のシール部材と第２衝撃吸収部材とが連続して一体成形された状態を説明する図である。
【図８】第２のシール部材とロゴマーク部とが一体成形された状態を説明する図である。
【発明を実施するための形態】
【００１５】
本発明の実施形態を図１ないし図８を参照しつつ説明する。図１ないし図３に示す電動工具用収容ケース１（以下、収容ケース１という。）は、深底で四角箱状の本体ケース２と、この本体ケース２と同じ四角箱状で浅底の蓋体３とを備えた合成樹脂製で、本体ケース２内には、図示しないインパクトドライバ等の電動工具本機やバッテリーパック、充電器等を収容する収容部４が形成されている。本体ケース２と蓋体３とは、本体ケース２の上側の開口と蓋体３の下側の開口とを合わせた状態で後面側（図１の下側）の開口縁部同士がヒンジ部材５、５（図３参照。）のヒンジ軸（図示せず。）を中心として互いに回転可能に結合されている。蓋体３をヒンジ軸を中心として回転させることで収容部４を開放できる。
【００１６】
一方、本体ケース２と蓋体３との前面側（図１の上側）の開口縁部同士は、左右一対のラッチ７、７（図１及び図２参照。）によってロック又はアンロック可能となっている。各ラッチ７は、図２に示すようにレバー板８とフック板９とを備えている。このレバー板８の上端部は本体ケース２の開口際に回転可能に軸着されて、レバー板８の中間部にフック板９の下端部が回転可能に軸着されている。よって各フック板９の上端部を、蓋体３の開口際に設けた各突起１０（図２参照。）に係止させた状態で、レバー板８を本体ケース２の前面に沿うように下向きに倒すと、蓋体３が本体ケース２の収容部４を閉じた状態でロックされる。
【００１７】
図３及び図４には、蓋体３が収容部４を閉じてラッチ７、７でロックされた状態を示した。図４に示すように、本体ケース２と蓋体３との合わせ面Ｓをシールする第１のシール部材２１が、蓋体３の内面に対して環状に設けられている。この第１のシール部材２１は、軟質材料であるエラストマーで形成されている。蓋体３がロックされた状態では、第１のシール部材２１が弾性変形して本体ケース２に密着することで合わせ面Ｓに隙間が生じることを防ぐ。よって、第１のシール部材２１は合わせ面Ｓのシール機能を発揮して、雨水等が合わせ面Ｓから収容部４内に浸入することを防止できる。
【００１８】
図２に示すように本体ケース２の前面には、ラッチ７、７間にロック状態のラッチ７、７よりも前方へ突出する左右一対の下突起１２、１２が設けられて、各下突起１２には、上下方向の凸条１３が連設されている。凸条１３、１３間にはハンドル１４が設けられており、ハンドル１４の両端は、各凸条１３に支えられた回転軸１５（図５参照。）を中心として各凸条１３に回転可能にそれぞれ連結されている。図５に示すように各凸条１３の下端には、凸条１３の内部と外部を連通させる排水孔１６が開設されている。したがって、図５に示すように凸条１３の外面とハンドル１４の端部１７との間に隙間１８が生じている場合でも、隙間１８から凸条１３の内部に浸入した雨水等を、排水孔１６から凸条１３の外部に排出できる。
【００１９】
また図２及び図５に示すように、蓋体３の正面には、収容部４を閉じた状態で下突起１２、１２に連続する左右一対の上突起１９、１９が突設されている。加えて図１及び図２に示すように、第１の軟質成形部としての第１衝撃吸収部材２５Ａ〜２５Ｄが、エラストマーを用いて蓋体３の外面四隅の角部に突設されている。なお以下の説明においては、図１の左側を蓋体３の左側とし、図１の右側を蓋体３の右側とする。また図２の右側を蓋体３の左側とし、図２の左側を蓋体３の右側とする。
【００２０】
図２に示すように、蓋体３の左側両隅の角部の第１衝撃吸収部材２５Ａ、２５Ｂ同士を連続させる帯状の軟質部材２６が、蓋体３の左外側面に沿って突設されている。本実施形態ではエラストマーを型に流し込むことにより、図２及び図４に示す如く軟質部材２６及び第１衝撃吸収部材２５Ａ、２５Ｂは、蓋体３の開口部２７を貫通するエラストマーを介して第１のシール部材２１と連続して一体成形できる。一方、図１及び図２に示すように、蓋体３の右側両隅の角部の第１衝撃吸収部材２５Ｃ、２５Ｄ同士を連続させる軟質部材２８が、蓋体３の右外側面に沿って突設されている。軟質部材２８及び第１衝撃吸収部材２５Ｃ、２５Ｄも、軟質部材２６及び第１衝撃吸収部材２５Ａ、２５Ｂと同様にして、第１のシール部材２１と連続して一体成形できる。例えばユーザは蓋体３を床面に接した状態で収容ケース１を床面に置く場合がある。この場合でも、第１衝撃吸収部材２５Ａ〜２５Ｄで、床面から蓋体３に加わろうとする衝撃を吸収する。したがって、第１衝撃吸収部材２５Ａ〜２５Ｄは外部から蓋体３が受ける衝撃を緩和する機能を発揮する。
【００２１】
加えて図２に示すように蓋体３の上面には、ビット等の小物を収容する副収容部２９が、複数の空間３０〜３５に区画された状態で凹設されており、蓋体３には、副収容部２９の上面を開閉する外蓋３６が設けられている。この外蓋３６は、副収容部２９全体を覆う合成樹脂製の四角板で、下方へ折り曲げた複数の後縁部３７（図６参照。）を、副収容部２９の後縁に沿って左右方向に設けた複数の係止溝３８（図２参照。）に係止させることで、後縁部３７を中心に上下方向へ回転可能となっている。外蓋３６の前端中央には、蓋体３が収容部４を、外蓋３６が副収容部２９をそれぞれ閉じた状態で、前方側へ円弧状に突出して蓋体３の前面を覆って両端が蓋体３の上突起１９、１９に連続するカバー部３９（図２参照。）が左右方向に突設されている。
【００２２】
外蓋３６の上面四隅の角部には、第２の軟質成形部としての第２衝撃吸収部材４０Ａ〜４０Ｄ（図１及び図２参照。）がエラストマーを用いて突設されている。さらに図１及び図２に示すように外蓋３６の上面には、左右方向に延びる長方形状とされたロゴマーク部４１がエラストマーを用いて形成されている。ロゴマーク部４１には、会社名（ここではＭａｋｉｔａ）を表したロゴマークが成形されている。したがって、ロゴマーク部４１は会社名を認識させる機能を発揮する。その上、ロゴマークをエラストマーで成形したことで、ロゴマークを記載したラベルを外蓋３６の上面に貼り付ける場合に比べて、ロゴマークの耐摩耗性が向上する。さらにロゴマークを、ロゴマーク部４１上に置かれた工具の滑り止め用の凸部として活用できる。
【００２３】
図７には、外蓋３６が副収容部２９を閉じた状態での蓋体３と外蓋３６との合わせ面Ｓ１付近を拡大して示した。図７に示すように蓋体３と外蓋３６との合わせ面Ｓ１をシールする第２のシール部材４２が、外蓋３６の外周壁部４３（図６参照。）の全周に連続して設けられている。第２のシール部材４２の下端面は外蓋３６の内側に突出した後に下方向へ屈曲した形状に成形されている。この第２のシール部材４２も、第１のシール部材２１と同様にエラストマーで形成されている。外蓋３６が副収容部２９を閉じた状態では、第２のシール部材４２の下端面が弾性変形して蓋体３に密着することで合わせ面Ｓ１に隙間が生じることを防ぐ。よって、第２のシール部材４２は合わせ面Ｓ１のシール機能を発揮して、雨水等が合わせ面Ｓ１から副収容部２９内に浸入することを防止できる。
【００２４】
本実施形態ではエラストマーを型に流し込むことにより、図７に示す如く第２のシール部材４２は第２衝撃吸収部材４０Ｂと連続して一体成形されている。加えて各第２衝撃吸収部材４０Ａ、４０Ｃ、４０Ｄについても、第２衝撃吸収部材４０Ｂと同様にして第２のシール部材４２と連続して一体成形されている。仮にユーザが外蓋３６を床面側に向けるようにして収容ケース１を床面に置いた場合でも、第２衝撃吸収部材４０Ａ〜４０Ｄは、床面から外蓋３６に加わろうとする衝撃を吸収することが可能になる。
【００２５】
さらに図８に示すように、外蓋３６の内面を這わせた線状の軟質部材４５が、外周壁部４３を貫通して第２のシール部材４２と連続して一体成形されている。この軟質部材４５は、エラストマーで形成されて外蓋３６の内面で左右方向に延びる凹溝４６（図６参照。）に装着されている。本実施形態ではエラストマーを型へ流し込むことにより、図８に示す如くロゴマーク部４１は、軟質部材４５及び外蓋３６の外面と内面とを連通させる連通孔４７に充填されるエラストマーを介して第２のシール部材４２と連続して一体成形されている。
【００２６】
＜本実施形態の効果＞
本実施形態の収容ケース１では、蓋体３の外面に設けられる衝撃緩和用の第１衝撃吸収部材２５Ａ〜２５Ｄと、蓋体３の内面に設けられるシール用の第１のシール部材２１とを一体成形することが可能になる。したがって、互いに異なる機能を持たせた第１のシール部材２１と第１衝撃吸収部材２５Ａ〜２５Ｄとを一度に成形できるため、成形手間を省くことができる。
【００２７】
また、第１衝撃吸収部材２５Ａ〜２５Ｄを蓋体３の外面四隅の角部に形成したため、蓋体３を床面に接した状態で収容ケース１を床面に置くときに、第１衝撃吸収部材２５Ａ〜２５Ｄで、床面から蓋体３に加わろうとする衝撃を吸収できる。よって、第１衝撃吸収部材２５Ａ〜２５Ｄに外部から蓋体３が受ける衝撃を緩和する機能を持たせることができる。
【００２８】
さらに、外蓋３６の上面に設けられる衝撃緩和用の第２衝撃吸収部材４０Ａ〜４０Ｄと、外蓋３６の外周壁部４３に設けられるシール用の第２のシール部材４２とを一体成形することが可能になる。したがって、互いに異なる機能を持たせた第２のシール部材４２と第２衝撃吸収部材４０Ａ〜４０Ｄとを一度に成形できるため、成形手間を省くことができる。
【００２９】
加えて、ロゴマーク部４１に会社名を表したロゴマークを成形することで、ロゴマーク部４１に会社名を認識させる機能を持たせることができる。
【００３０】
本発明は、上述した実施形態に限定されるものではなく、発明の趣旨を逸脱しない範囲内において構成の一部を適宜変更して実施できる。例えば副収容部２９や外蓋３６を設けない蓋体の外面に、ロゴマーク部４１と同様のロゴマーク部を形成してもよい。この場合にはロゴマーク部を、第１のシール部材２１と一体成形して蓋体の内面を這わせたエラストマー製の線状軟質部材と、線状軟質部材と連続して蓋体を内面から外面へ貫通するエラストマーとを介して第１のシール部材２１と連続するように一体成形してもよい。この蓋体の外面に形成したロゴマーク部も、会社名を認識させる機能を発揮できる。また、副収容部２９、外蓋３６や第１衝撃吸収部材２５Ａ〜２５Ｄを設けた蓋体３の外面に、ロゴマーク部を形成してもよい。
【００３１】
さらに、上述した実施例では、ロゴマーク部４１が一つの軟質部材４５を介して第２のシール部材４２と一体成形された例を示したが、これに限らず、外蓋３６の内面に凹溝を複数形成して、これらの凹溝に装着状態で形成された複数の線状の軟質部材を介してロゴマーク部４１を第２のシール部材４２と一体成形してもよい。
【００３２】
加えて、ロゴマーク部に会社名を表したロゴマークを成形することに代えて、ロゴマーク部に例えば商品名や商品番号等を表したロゴマークを成形することで、ロゴマーク部が商品名や商品番号等を認識させる機能を発揮するようにしてもよい。さらに加えて、蓋体３の外面や外蓋３６の上面に、衝撃吸収部材に代えて例えば補強機能を発揮する部材や滑り止め機能を発揮する部材を設けてもよい。
【符号の説明】
【００３３】
１・・収容ケース、２・・本体ケース、３・・蓋体、４・・本体ケースの収容部、２１・・第１のシール部材、２５Ａ〜２５Ｄ・・第１衝撃吸収部材、２９・・副収容部、３６・・外蓋、４０Ａ〜４０Ｄ・・第２衝撃吸収部材、４１・・ロゴマーク部、４２・・第２のシール部材、Ｓ・・本体ケースと蓋体との合わせ面、Ｓ１・・蓋体と外蓋との合わせ面。
【図１】
2013039646.tif 000003
【図２】
2013039646.tif 000004
【図３】
2013039646.tif 000005
【図４】
2013039646.tif 000006
【図５】
2013039646.tif 000007
【図６】
2013039646.tif 000008
【図７】
2013039646.tif 000009
【図８】
2013039646.tif 000010